(57)【要約】【課題】過充電状態になった場合、絶縁体の移動で一方の電極端子を軸方向に分離して電流遮断を行う。【解決手段】二次電池１０は、負極端子１８が軸方向に分離可能、かつ近づく方向に付勢された分離部Ｓを備えている。負極端子１８を導通状態にする導通位置から絶縁状態にする絶縁位置へ移動可能な絶縁体２７は、カソード側が負極端子１８側に、アノード側が正極端子側となるように接続されたダイオードの回路を介して二次電池１０から供給される電力により駆動されるモータ２８により絶縁位置へ移動される。ダイオードの回路の閾値電圧は、二次電池１０の過充電時に二次電池１０から電流が流れる状態となる値に設定されている。【選択図】図１
2017045680.tif 000002
【特許請求の範囲】
【請求項１】
電極組立体がケース内部に収容され、前記電極組立体と電気的に接続されている正極端子及び負極端子を備えた蓄電装置であって、
前記正極端子及び前記負極端子のいずれか一方の電極端子が軸方向に分離可能、かつ近づく方向に付勢された分離部を備えており、分離可能な前記一方の電極端子を導通状態にする導通位置から絶縁状態にする絶縁位置へ移動可能な絶縁体と、カソード側が前記負極端子側に、アノード側が前記正極端子側となるように接続されたダイオードの回路を介して前記蓄電装置から供給される電力により駆動され、前記絶縁体を前記絶縁位置へ移動させる回動手段とを供え、前記ダイオードの回路の閾値電圧は、前記蓄電装置の過充電時に前記蓄電装置から電流が流れる状態となる値に設定されていることを特徴とする蓄電装置。
【請求項２】
前記回動手段はモータである請求項１に記載の蓄電装置。
【請求項３】
前記絶縁体は、絶縁部の一端側に導電部が連続して形成されており、前記導通位置は、前記導電部が前記一方の電極端子の前記分離部に挟持された位置である請求項１又は請求項２に記載の蓄電装置。
【請求項４】
前記絶縁体は、導電部を有さず、前記導通位置は、前記絶縁体が前記一方の電極端子の前記分離部から離れた位置である請求項１又は請求項２に記載の蓄電装置。
【発明の詳細な説明】
【技術分野】
【０００１】
本発明は、蓄電装置に関する。
【背景技術】
【０００２】
二次電池やキャパシタのような蓄電装置は再充電が可能であり、繰り返し使用することができるため電源として広く利用されている。二次電池、特にリチウムイオン二次電池では過充電等で過電圧が印加された場合、電解液が分解して発生するガスによって圧力が高まる。
【０００３】
従来、過充電状態になると、端子と電極組立体との通電経路を流れる電流を遮断する電流遮断構造を備えたものがある。電流遮断構造としては、過充電によりケース内に発生したガス圧によって作動するものがある。また、ケース内に発生したガス圧を利用せずに、電流を遮断する構成のものもある（例えば、特許文献１参照）。
【０００４】
特許文献１に開示された電流遮断装置は、電池要素と電池端子の間に配置されており、電池要素側接続部と電池端子側接続部とを有する。また、電池要素側接続部と電池端子側接続部とが接続されて電池端子から電池要素への導電を許容する第１状態から、電池要素側接続部と電池端子側接続部とが離間して電池端子から電池要素への導電を遮断する第２状態へ変形可能な変形部材と、制御電圧を印加することで、電池要素側接続部および電池端子側接続部の少なくとも一方を付勢し、変形部材を第１状態から第２状態へ変形させるアクチュエータと、電池端子へ印加される電圧が上限電圧を越えると、アクチュエータに制御電圧を印加する切換装置とを備えている。
【先行技術文献】
【特許文献】
【０００５】
【特許文献１】特開２０１３−１８７０７０号公報
【発明の概要】
【発明が解決しようとする課題】
【０００６】
ところが、ケース内に発生したガス圧を利用して電流遮断を行う構成の場合、電池寿命の全期間にわたって過充電時に規定通りの量のガスを発生させることは困難である。また、特許文献１に記載の電流遮断装置は、電流遮断装置を構成する要素が多い。
【０００７】
本発明は、前記の問題に鑑みてなされたものであって、その目的は、過充電状態になった場合、絶縁体の移動で一方の電極端子を軸方向に分離して電流遮断を行うことができる蓄電装置を提供することにある。
【課題を解決するための手段】
【０００８】
上記課題を解決する蓄電装置は、電極組立体がケース内部に収容され、前記電極組立体と電気的に接続されている正極端子及び負極端子を備えた蓄電装置であって、前記正極端子及び前記負極端子のいずれか一方の電極端子が軸方向に分離可能、かつ近づく方向に付勢された分離部を備えている。そして、分離可能な前記一方の電極端子を導通状態にする導通位置から絶縁状態にする絶縁位置へ移動可能な絶縁体と、カソード側が前記負極端子側に、アノード側が前記正極端子側となるように接続されたダイオードの回路を介して前記蓄電装置から供給される電力により駆動され、前記絶縁体を前記絶縁位置へ移動させる回動手段とを供えている。前記ダイオードの回路の閾値電圧は、前記蓄電装置の過充電時に前記蓄電装置から電流が流れる状態となる値に設定されていることを特徴とする蓄電装置。ここで、「ダイオードの回路」とは、ダイオードを１個以上接続した回路である。
【０００９】
この構成によれば、正極端子及び負極端子のいずれか一方の電極端子が軸方向に分離可能、かつ近づく方向に付勢された分離部を備えており、絶縁体が絶縁位置に配置された状態で、当該電極端子は絶縁状態になり、当該電極端子に流れる電流の遮断が行われる。蓄電装置が過充電でない状態では、絶縁体は導通位置に保持されており、分離可能な一方の電極端子は導通状態に保持され、正極端子と負極端子とに接続された充電装置による充電や、正極端子と負極端子とに接続された電気機器への給電（電力供給）が支障なく行われる。蓄電装置が過充電状態になると、ダイオードを介して電流が回動手段に供給され、回動手段が駆動されて絶縁体が導通位置から絶縁位置へと移動され、軸方向に分離可能な一方の電極端子は、絶縁体を介して分離されて絶縁状態になる。したがって、過充電状態になった場合、絶縁体の移動で一方の電極端子を軸方向に分離して電流遮断を行うことができる。
【００１０】
前記回動手段はモータであることが好ましい。回動手段はモータに限らず、例えば、ロータリーソレノイドを使用してもよいが、モータの方が必要な回動力や回転速度を有するものが得やすい。
【００１１】
前記絶縁体は、絶縁部の一端側に導電部が連続して形成されており、前記導通位置は、前記導電部が前記一方の電極端子の前記分離部に挟持された位置である。この構成によれば、絶縁体が導通位置に配置された状態では、導電部が電極端子の分離部に挟持された状態のため、過充電時に回動手段が駆動されると、導電部に連続する絶縁部が、絶縁位置である電極端子の分離部に円滑に移動されて、電極端子が分離部において絶縁部を挟んで軸方向に分離された状態となって電流遮断が行われる。
【００１２】
前記絶縁体は、導電部を有さず、前記導通位置は、前記絶縁体が前記一方の電極端子の前記分離部から離れた位置である。この構成によれば、絶縁体が一方の電極端子の分離部から離れた導通位置に配置された状態では、電極端子は分離部が接触した状態に保持されて電流が流れることが可能な状態になる。また、絶縁体が絶縁位置へ移動すると、電極端子が分離部において絶縁部を挟んで軸方向に分離された状態となって電流遮断が行われる。そして、絶縁体は導電部を有さないため、絶縁体の構成が簡単になる。
【発明の効果】
【００１３】
本発明によれば、蓄電装置が過充電状態になった場合、絶縁体の移動で一方の電極端子を軸方向に分離して電流遮断を行うことができる。
【図面の簡単な説明】
【００１４】
【図１】（ａ）は第１の実施形態の二次電池を模式的に示す断面図、（ｂ）は正極、負極及びセパレータの関係を示す概略斜視図。
【図２】（ａ）は電流遮断機構の模式平面図、（ｂ）は絶縁体の断面図。
【図３】モータへの通電回路を示す模式図。
【図４】電流遮断機構を示す概略斜視図。
【図５】（ａ）は電流遮断機構の電流非遮断状態を示す模式図、（ｂ）は電流遮断機構の電流遮断状態を示す模式図。
【図６】（ａ）は第２の実施形態の電流遮断機構の電流非遮断状態を示す模式図、（ｂ）は電流遮断機構の電流遮断状態を示す模式図。
【図７】別の実施形態の電流遮断機構の一部破断模式図。
【図８】別の実施形態の電流遮断機構の電流非遮断状態を示す模式図。
【発明を実施するための形態】
【００１５】
（第１の実施形態）
以下、本発明を積層型の電極組立体を備えた二次電池に具体化した第１の実施形態を図１〜図５にしたがって説明する。
【００１６】
図１（ａ）に示すように、蓄電装置としての二次電池１０は、有底箱状のケース本体１１ａ及びその開口部を覆う蓋体１１ｂとで構成された四角箱状のケース１１内に、積層型の電極組立体１２及び電解液が収容されている。
【００１７】
図１（ｂ）に示すように、電極組立体１２は、金属箔１３の両面に活物質層１４ａを有する複数の矩形シート状の正極１４と、金属箔１３の両面に活物質層１５ａを有する複数の矩形シート状の負極１５とが、両者の間にセパレータ１６が介在する状態で積層されている。
【００１８】
正極１４は、金属箔１３の一辺から延出された正極タブ１４ｂを有する。正極タブ１４ｂは、電極組立体１２の一端面（図１（ａ）において上端面）の右側寄りとなる位置に突設されている。負極１５は、金属箔１３の一辺から延出された負極タブ１５ｂを有する。負極タブ１５ｂは、電極組立体１２の一端面（図１（ａ）において上端面）の左側寄りとなる位置に突設されている。二次電池１０がリチウムイオン二次電池の場合、正極１４用の金属箔１３はアルミニウム箔が好ましく、負極１５用の金属箔１３は銅箔が好ましい。
【００１９】
図１（ａ）に示すように、蓋体１１ｂには、電極端子としての正極端子１７及び負極端子１８が、一部がケース１１から外部に突出する状態で固定されている。正極端子１７及び負極端子１８は、蓋体１１ｂに形成された孔１１ｃに取り付けられたリング状の絶縁部材１９，２０をそれぞれ貫通する状態で設けられている。
【００２０】
正極端子１７は、正極導電部材２１を介して正極タブ１４ｂに電気的に接続されている。負極端子１８は、負極導電部材２２を介して負極タブ１５ｂに電気的に接続されている。なお、ケース本体１１ａの内面及び蓋体１１ｂの内面には、絶縁シート（図示せず）が貼付されている。
【００２１】
二次電池１０は、過充電時に、電極端子（正極端子１７及び負極端子１８）と電極組立体１２との通電経路を流れる電流を遮断する電流遮断機構を備えている。電流遮断機構は、二次電池１０が過充電状態になった場合、一方の電極端子、この実施形態では負極端子１８を軸方向に分離して、電極端子と電極組立体１２との通電経路を流れる電流を遮断する構成になっている。
【００２２】
図１（ａ）及び図４に示すように、負極端子１８は、軸方向に分離可能、かつ近づく方向に付勢された分離部Ｓを備えている。詳述すると負極端子１８は、分離部Ｓを挟んで上側部分１８ａは、下部が下方に向かって先細りとなるテーパ状に形成され、分離部Ｓを挟んで下側部分１８ｂは、円柱状に形成されている。
【００２３】
図４に示すように、負極端子１８の上側部分１８ａは、引っ張りばね２３により下方、即ち下側部分１８ｂに近づく方向に付勢されている。引っ張りばね２３は、一端が上側部分１８ａに突設された掛止部２４に掛止され、他端が絶縁部材２０に突設された掛止部２５に掛止されている。なお、引っ張りばね２３及び掛止部２５は、図４以外の図では図示が省略されている。
【００２４】
図４に示すように、絶縁部材２０は、上側部分１８ａと係合して上側部分１８ａを下側部分１８ｂと同軸上に保持する保持部２６を備えている。保持部２６は、内径が上側部分１８ａの外径とほぼ同径の円筒状部材に、引っ張りばね２３、掛止部２４、掛止部２５及び後述する絶縁体２７と干渉しないための切り欠き部２６ａが形成された構造となっている。なお、保持部２６と他の部分との関係を分かり易くするため、保持部２６を鎖線で図示している。また、図１（ａ）、図２（ａ）及び図５（ａ），（ｂ）では保持部２６の図示を省略している。
【００２５】
図１（ａ）、図２（ａ）及び図４に示すように、負極端子１８の側方には、分離可能な負極端子１８の上側部分１８ａと、下側部分１８ｂとを導通状態にする導通位置から絶縁状態にする絶縁位置へ移動可能な絶縁体２７が設けられている。絶縁体２７は、樹脂製の絶縁部２７ａの一端側に導電部２７ｂが連続して形成されており、導通位置は、導電部２７ｂが負極端子１８の分離部Ｓに挟持された位置、即ち上側部分１８ａの下端と、下側部分１８ｂの上端に挟持された位置である。
【００２６】
図２（ｂ）に示すように、導電部２７ｂは、絶縁部２７ａより厚みが薄く形成されると共に、絶縁部２７ａと一体化される部分が絶縁部２７ａより幅狭に形成されている。絶縁部２７ａは、棒状に形成されると共に、一端側の厚みが端部側に向かって次第に薄くなるように形成されている。また、絶縁体２７は、絶縁部２７ａの下面に絶縁部２７ａの長手方向と直交する方向に延びる歯部２７ｃが形成されている。
【００２７】
図１（ａ）、図２（ａ）及び図４に示すように、絶縁体２７を導通位置から絶縁位置へ移動させる移動手段は、回動手段としてのモータ２８と、モータ２８の駆動軸２８ａに固定された歯車２９とで構成されている。歯車２９は絶縁体２７の歯部２７ｃと噛合している。
【００２８】
図３に示すように、正極端子１７と負極端子１８との間には、複数のダイオード３０が直列に接続された回路３１と、モータ２８の回路部とが直列に接続された直列回路３２が設けられている。複数のダイオード３０が直列に接続された回路３１は、合計の閾値電圧が、二次電池１０の過充電時に直列回路３２に、二次電池１０から電流が流れる状態となるように、各ダイオード３０の閾値電圧及びダイオード３０の数が設定されている。すなわち、モータ２８は二次電池１０の過充電時に、二次電池１０から供給される電力により駆動されるようになっている。
【００２９】
次に前記のように構成された二次電池１０の作用を説明する。
二次電池１０が正常な状態、即ち過充電状態でない場合は、図１（ａ）、図４及び図５（ａ）に示すように、絶縁体２７は、導電部２７ｂが負極端子１８の上側部分１８ａ及び下側部分１８ｂに挟持された状態に保持され、この状態では、負極端子１８は、上側部分１８ａ及び下側部分１８ｂが導通状態に保持される。そのため、正極端子１７と負極端子１８とに接続された充電装置による充電や、正極端子１７と負極端子１８とに接続された電気機器への給電（電力供給）が支障なく行われる。
【００３０】
二次電池１０が過充電状態になると、ダイオード３０を介して二次電池１０から電流がモータ２８に供給され、モータ２８が駆動されて歯車２９が図５（ａ）の反時計回り方向に回転されて、絶縁体２７が図５（ａ）の左方に向かって移動する。その結果、絶縁体２７は、導電部２７ｂが上側部分１８ａと下側部分１８ｂとに挟持された状態から、図５（ｂ）に示すように、絶縁部２７ａが上側部分１８ａと下側部分１８ｂとに挟持された状態となり、負極端子１８は絶縁体２７の絶縁部２７ａを介して分離された状態になる。即ち、負極端子１８が分離部Ｓにおいて軸方向に分離されて電流遮断が行われる。
【００３１】
この実施形態によれば、以下に示す効果を得ることができる。
（１）二次電池１０は、電極組立体１２がケース１１内部に収容され、電極組立体１２と電気的に接続されている正極端子１７及び負極端子１８を備えた蓄電装置であって、負極端子１８が軸方向に分離可能、かつ近づく方向に付勢された分離部Ｓを備えている。そして、分離可能な負極端子１８を導通状態にする導通位置から絶縁状態にする絶縁位置へ移動可能な絶縁体２７と、カソード側が負極端子１８側に、アノード側が正極端子１７側となるように接続されたダイオード３０の回路３１を介して二次電池１０から供給される電流により駆動され、絶縁体２７を絶縁位置へ移動させる回動手段とを供えている。ダイオード３０の回路３１の閾値電圧は、二次電池１０の過充電時に二次電池１０から電流が流れる状態となる値に設定されている。
【００３２】
この構成によれば、絶縁体２７が絶縁位置に配置された状態で、負極端子１８は絶縁状態になり、負極端子１８に流れる電流の遮断が行われる。二次電池１０が過充電でない状態では、絶縁体２７は導通位置に保持されており、分離可能な負極端子１８は導通状態に保持され、正極端子１７と負極端子１８とに接続された充電装置による充電や、正極端子１７と負極端子１８とに接続された電気機器への給電（電力供給）が支障なく行われる。二次電池１０が過充電状態になると、ダイオード３０を介して電流がモータ２８に供給され、モータ２８が駆動されて絶縁体２７が導通位置から絶縁位置へと移動され、軸方向に分離可能な負極端子１８は、絶縁体２７を介して分離されて絶縁状態になる。したがって、過充電状態になった場合、絶縁体２７の移動で負極端子１８を軸方向に分離して電流遮断を行うことができる。
【００３３】
（２）回動手段はモータ２８である。回動手段はモータ２８に限らず、例えば、ロータリーソレノイドを使用してもよいが、モータ２８の方が必要な回動力や回転速度を有するものが得やすい。
【００３４】
（３）絶縁体２７は、絶縁部２７ａの一端側に導電部２７ｂが連続して形成されており、導通位置は、導電部２７ｂが負極端子１８の分離部Ｓに挟持された位置である。この構成によれば、絶縁体２７が導通位置に配置された状態では、導電部２７ｂが負極端子１８の分離部Ｓに挟持された状態のため、過充電時にモータ２８が駆動されると、導電部２７ｂに連続する絶縁部２７ａが、絶縁位置である負極端子１８の分離部Ｓに円滑に移動される。そして、絶縁体２７が負極端子１８を分離部Ｓにおいて軸方向に分離して電流遮断を行うことができる。
【００３５】
（第２の実施形態）
次に、本発明を具体化した第２の実施形態を図６（ａ），（ｂ）にしたがって説明する。なお、第２の実施形態は、第１の実施形態と比べて、絶縁体２７の構成が異なっている。同様の部分についてはその詳細な説明を省略する。
【００３６】
図６（ａ），（ｂ）に示すように、絶縁体２７は、導電部を有さず、全体が絶縁部２７ａである。絶縁部２７ａは、分離部Ｓに近い側の端部が、先端側に向かって次第に厚みが薄くなるように、即ち略楔状に形成されている。絶縁体２７の導通位置は、絶縁体２７が負極端子１８の分離部Ｓから離れた位置である。また、負極端子１８と歯車２９との間には、モータ２８の駆動時に、絶縁体２７が負極端子１８側へ、上下方向及び左右方向へ振れずに移動するように案内するガイド部４０が設けられている。
【００３７】
二次電池１０が正常な状態、即ち過充電状態でない場合は、モータ２８は停止状態に保持され、図６（ａ）に示すように、絶縁体２７は、先端が分離部Ｓと接触せず、かつ分離部Ｓに近い位置で待機する。そして、負極端子１８は、上側部分１８ａが下側部分１８ｂに当接した状態に保持され、正極端子１７と負極端子１８とに接続された充電装置による充電や、正極端子１７と負極端子１８とに接続された電気機器への給電（電力供給）が支障なく行われる。
【００３８】
二次電池１０が過充電状態になると、ダイオード３０を介して電流がモータ２８に供給され、モータ２８が駆動されて歯車２９が図６（ａ）の反時計方向に回動される。そして、歯車２９の回転に伴い、絶縁体２７が負極端子１８の分離部Ｓに向かって移動される。絶縁体２７は、図６（ｂ）に示すように、負極端子１８の上側部分１８ａと下側部分１８ｂとの間に進入し、負極端子１８が分離部Ｓにおいて上側部分１８ａと下側部分１８ｂとに分離され、負極端子１８の電流経路が遮断される。
【００３９】
この実施形態では、第１の実施形態における（１）及び（２）と同様の効果が得られる。また、この実施形態では、絶縁体２７は、導電部２７ｂを有さないため、構成が簡単になる。
【００４０】
実施形態は前記に限定されるものではなく、例えば、次のように具体化してもよい。
○  図７に示すように、上側部分１８ａの下端寄りにフランジ３３を突設する。また、内径がフランジ３３の外径より大きな有底円筒体３４の底部に負極端子１８の上側部分１８ａが遊挿される孔３４ａを設け、その有底円筒体３４を底部が上側となり、上側部分１８ａが孔３４ａから突出する状態で、絶縁部材２０に固定する。有底円筒体３４の底部とフランジ３３との間には圧縮ばね３５を設ける。また、有底円筒体３４には絶縁体２７の通過を許容する窓３４ｂを設ける。即ち、軸方向に分離可能に設けられた負極端子１８の上側部分１８ａを下側部分１８ｂに近づく方向に付勢する構成は、上側部分１８ａに設けられた掛止部２４と、絶縁部材２０に設けられた掛止部２５との間に引っ張りばね２３を掛止する構成に限らない。
【００４１】
○  絶縁体２７が導電部２７ｂを有する構成においても、軸方向に分離可能に設けられた負極端子１８の上側部分１８ａを下側部分１８ｂに近づく方向に付勢する構成として、図７と同様な構成を採用してもよい。
【００４２】
○  上側部分１８ａの下部が下方に向かって先細りとなるテーパ状に形成される代わりに、上側部分１８ａは円柱状とし、下側部分１８ｂの上部が上方に向かって先細りとなるテーパ状に形成されてもよい。
【００４３】
○  上側部分１８ａの下部あるいは下側部分１８ｂの上部を先細りのテーパ状とする代わりに、半球状としたり、球の一部を構成する形状としたりしてもよい。
○  二次電池１０は、正極端子１７及び負極端子１８のいずれか一方の電極端子が軸方向に分離可能、かつ近づく方向に付勢された分離部を備えており、分離可能な一方の電極端子を導通状態にする導通位置から絶縁状態にする絶縁位置へ移動可能な絶縁体２７により、過充電状態のときに当該電極端子が電流遮断状態になればよい。そのため、負極端子１８に代えて、正極端子１７が軸方向に分離可能、かつ近づく方向に付勢された分離部Ｓを備えていてもよい。
【００４４】
○  二次電池１０は、正極端子１７及び負極端子１８が上側に位置する状態で使用される物に限らず、正極端子１７及び負極端子１８が横向きの状態で使用される物であってもよい。
【００４５】
○  図８に示すように、絶縁体２７が絶縁部２７ａ及び導電部２７ｂを有する構造において、導電部２７ｂの先端側にテープ３８の一端を固定し、テープ３８の他端を巻取ロール３９に固定する。そして、巻取ロール３９をモータ２８の駆動軸２８ａに固定する。この構成では、過充電状態においてモータ２８が駆動され、テープ３８が巻取ロール３９に巻き取られることにより、絶縁体２７が導通位置から絶縁位置へと移動される。なお、絶縁体２７を導通位置に支承し、かつモータ２８の駆動によりテープ３８を介して絶縁体２７が移動される時に、絶縁体２７が真っ直ぐに移動するように案内するガイド部を設けてもよい。
【００４６】
○  モータ２８の駆動軸２８ａに固定された歯車２９は、必ずしも全周に歯部が突設された物に限らず、絶縁体２７の絶縁部２７ａが負極端子１８の上側部分１８ａと下側部分１８ｂとの間に移動して、上側部分１８ａ及び下側部分１８ｂを電流遮断状態に配置する位置まで移動されるのに必要な数以上存在すればよい。
【００４７】
○  歯車２９は、扇状歯車であってもよい。
○  歯車２９に代えて、周面が高摩擦状態のローラを使用し、絶縁体２７の絶縁部２７ａを高摩擦部材で構成してもよい。
【００４８】
○  回動手段はモータ２８に限らず、例えば、ロータリーソレノイドを使用してもよい。
○  電極組立体１２は、セパレータ１６を袋状として、正極１４及び負極１５のいずれか一方が袋状のセパレータ１６に収容されて、正極１４及び負極１５がセパレータを介して交互に積層された構成としてもよい。
【００４９】
○  電極組立体１２は積層型に限らず、巻回型であってもよい。
○  二次電池１０は、電解質として電解液を使用する構成であっても、電解液を使用せずに固体電解質や高分子電解質を使用する構成であってもよい。
【００５０】
○  二次電池１０に限らず、電気二重層キャパシタやリチウムイオンキャパシタ等のキャパシタに適用してもよい。
以下の技術的思想（発明）は前記実施形態から把握できる。
【００５１】
（１）請求項１〜請求項４のいずれか一項に記載の発明において、前記絶縁体は棒状或いは板状に形成され、かつ絶縁体の一部にその長手方向と直交する方向に延び、かつ前記回動手段により回動される歯車と噛合する歯部が形成されている。
【符号の説明】
【００５２】
Ｓ…分離部、１０…蓄電装置としての二次電池、１１…ケース、１２…電極組立体、１７…正極端子、１８…負極端子、２７…絶縁体、２７ａ…絶縁部、２７ｂ…導電部、２８…回動手段としてのモータ、３０…ダイオード、３１…回路。
【図１】
2017045680.tif 000003
【図２】
2017045680.tif 000004
【図３】
2017045680.tif 000005
【図４】
2017045680.tif 000006
【図５】
2017045680.tif 000007
【図６】
2017045680.tif 000008
【図７】
2017045680.tif 000009
【図８】
2017045680.tif 000010